(57)【要約】【課題】塵埃の侵入を抑制できる光学部品用筐体及びプロジェクターを提供すること。【解決手段】光学部品を収容する光学部品用筐体は、第１筐体と、第１筐体と組み合わされる第２筐体と、を備え、第１筐体は、光学部品が挿入される開口部と、開口部の端縁に位置する溝部と、溝部内に配置される弾性変形可能な弾性部材と、を有し、第２筐体は、開口部を閉塞する面に、溝部に挿入されて弾性部材を押圧する突条部と、を有する光学部品用筐体。【選択図】図８
2017130537.tif 000002
【特許請求の範囲】
【請求項１】
光学部品を収容する光学部品用筐体であって、
第１筐体と、
前記第１筐体と組み合わされる第２筐体と、を備え、
前記第１筐体は、
前記光学部品が挿入される開口部と、
前記開口部の周縁に位置する溝部と、
前記溝部内に配置される弾性変形可能な弾性部材と、を有し、
前記第２筐体は、前記開口部を閉塞する面に、前記溝部に挿入されて前記弾性部材を押圧する突条部と、を有することを特徴とする光学部品用筐体。
【請求項２】
請求項１に記載の光学部品用筐体において、
前記溝部は、前記第１筐体の外縁に略沿い、前記弾性部材が配置される第１底部を有し、
前記突条部は、前記溝部の溝方向の略全域に挿入され、
前記溝部における溝方向の少なくとも一端は、前記溝方向に直交する前記第１筐体の面にて露出され、
前記少なくとも一端は、前記第１底部より深く形成され、前記第２筐体との間に前記弾性部材の端部が収納される第２底部を有することを特徴とする光学部品用筐体。
【請求項３】
請求項２に記載の光学部品用筐体において、
前記弾性部材は、略円柱形状を有し、
前記第１底部における溝幅は、前記溝部において互いに対向する内面に、前記第１底部に配置された前記弾性部材が当接する寸法に設定されていることを特徴とする光学部品用筐体。
【請求項４】
請求項１から請求項３のいずれか一項に記載の光学部品用筐体において、
前記弾性部材は、中空状に形成されていることを特徴とする光学部品用筐体。
【請求項５】
請求項１から請求項４のいずれか一項に記載の光学部品用筐体において、
前記溝部の溝幅は、深さ方向に向かうに従って小さくなることを特徴とする光学部品用筐体。
【請求項６】
請求項１から請求項５のいずれか一項に記載の光学部品用筐体と、
光源装置と、
前記光源装置から出射された光を変調する光変調装置と、
前記光変調装置により変調された光を投射する投射光学装置と、
前記光源装置から前記光変調装置に入射される光の光路上に配置され、前記光学部品用筐体に収容される光学部品と、を備えることを特徴とするプロジェクター。
【請求項７】
請求項６に記載のプロジェクターにおいて、
前記光学部品用筐体は、前記光源装置と接続される光源装置接続部を有し、
前記光源装置接続部及び前記光源装置の間には、接続部−光源装置間封止部材が設けられていることを特徴とするプロジェクター。
【請求項８】
請求項６又は請求項７に記載のプロジェクターにおいて、
前記投射光学装置を支持する支持部材を備え、
前記光学部品用筐体は、前記支持部材と接続される支持部材接続部を有し、
前記支持部材接続部と前記支持部材との間には、接続部−支持部材間封止部材が設けられていることを特徴とするプロジェクター。
【請求項９】
請求項６から請求項８のいずれか一項に記載のプロジェクターにおいて、
前記光学部品用筐体を挟むように前記光学部品用筐体と接続され、冷却気体を流通させるダクト部を有する冷却装置を備え、
前記光学部品用筐体と前記ダクト部との間には、筐体−ダクト部間封止部材が設けられていることを特徴とするプロジェクター。
【発明の詳細な説明】
【技術分野】
【０００１】
本発明は、光学部品を収容する光学部品用筐体、及び、当該光学部品用筐体を備えるプロジェクターに関する。
【背景技術】
【０００２】
従来、光源と、当該光源から出射された光を変調して画像情報に応じた画像を形成する光変調装置と、形成された画像を投射する投射光学装置と、を備えたプロジェクターが知られている。このようなプロジェクターとして、光源から照射された光の照度むらを低減する照明光学系、並びに、当該光から赤色光、緑色光及び青色光を色分離する分光部と、これらの光学要素を収容する光学装置用筐体と、を有する光学装置を備えるプロジェクターが知られている（例えば、特許文献１参照）。
【０００３】
この特許文献１に記載のプロジェクターでは、上記光学要素は、レンズアレイを含む各種レンズ、ダイクロイック反射ミラーを含む反射ミラー、及び、フィルター等を含む。また、光学装置用筐体は、光学要素を挿入するための開口部、及び、当該光学要素を収容する光学要素収容部を有する主筐体と、当該主筐体の上部に着脱可能に取り付けられて上記開口部の一部を閉塞する蓋体と、当該開口部を閉塞する副蓋体と、を有する。
このような光学装置用筐体によって光学要素が収容されることにより、光学装置の製造性が向上される。
【先行技術文献】
【特許文献】
【０００４】
【特許文献１】特開２００４−２７１７００号公報
【発明の概要】
【発明が解決しようとする課題】
【０００５】
近年、プロジェクターの用途が拡大され、当該プロジェクターの利用場所も屋内に限定されず、塵埃環境で利用されることも多くなってきた。この塵埃環境でプロジェクターが利用される場合、塵埃を含む空気が冷却気体としてプロジェクター内に導入されることが想定される。このような空気に含まれる塵埃が、例えば上記光学装置用筐体内に侵入して上記光学要素に付着すると、投射画像の輝度が低下する他、当該塵埃が影となって投射画像が劣化するおそれがある。
このような問題から、塵埃の影響を受けにくいプロジェクターが要望されてきた。
【０００６】
本発明は、上記課題の少なくとも一部を解決することを目的としたものであり、塵埃の侵入を抑制できる光学部品用筐体及びプロジェクターを提供することを目的の１つとする。
【課題を解決するための手段】
【０００７】
本発明の第１態様に係る光学部品用筐体は、光学部品を収容する光学部品用筐体であって、第１筐体と、前記第１筐体と組み合わされる第２筐体と、を備え、前記第１筐体は、前記光学部品が挿入される開口部と、前記開口部の周縁に位置する溝部と、前記溝部内に配置される弾性変形可能な弾性部材と、を有し、前記第２筐体は、前記開口部を閉塞する面に、前記溝部に挿入されて前記弾性部材を押圧する突条部と、を有することを特徴とする。
【０００８】
上記第１態様によれば、第１筐体において開口部の周縁に位置する溝部に、弾性変形可能な弾性部材が配置され、当該弾性部材は、第２筐体において開口部を閉塞する面に位置する突条部により押圧される。これによれば、第１筐体と第２筐体とが組み合わされる際に、突条部が弾性部材を押圧して変形させることにより、溝部と突条部との間に、塵埃を含む気体が流通可能な隙間が生じることを抑制できる。従って、当該隙間を介して光学部品用筐体内に当該塵埃が侵入することを抑制できる。そして、このような光学部品用筐体が、画像形成に利用される光束の光路上に配置される光学部品を収容する筐体としてプロジェクターに採用されることにより、塵埃が付着することによる投射画像の輝度の低下、及び、当該投射画像の劣化が生じることを抑制できる。
また、溝部に配置された弾性部材を突条部によって押圧して、当該溝部と突条部との間を介する気体の流通を抑制する構成であるので、これら溝部及び突条部の間に接着剤を充填する場合に比べて、第１筐体からの第２筐体の取外しを容易に実施できる。従って、光学部品用筐体のリワーク性を向上させることができる。
【０００９】
上記第１態様では、前記溝部は、前記第１筐体の外縁に略沿い、前記弾性部材が配置される第１底部を有し、前記突条部は、前記溝部の溝方向の略全域に挿入され、前記溝部における溝方向の少なくとも一端は、前記溝方向に直交する前記第１筐体の面にて露出され、前記少なくとも一端は、前記第１底部より深く形成され、前記第２筐体との間に前記弾性部材の端部が収納される第２底部を有することが好ましい。
なお、溝方向とは、溝の延出方向を示す。
ここで、溝部の第１底部に沿って弾性部材を配置する場合、当該溝部の溝方向の寸法と合致した弾性部材を配置することが好ましい。しかしながら、このような弾性部材を予め用意することは困難である。特に、突条部によって押圧されて弾性部材が弾性変形することを考慮すると、変形後の弾性部材は、溝部の端部から外側に突出しやすい。
これに対し、上記構成によれば、溝部の溝方向の寸法より長い弾性部材を第１底部に配置し、第１筐体と第２筐体とを組み合わせた場合に、当該溝部の少なくとも一端において、弾性部材の端部（余剰となる端部）を第２底部と第２筐体との間に収納できる。従って、溝部から弾性部材が突出することを抑制できる。
【００１０】
上記第１態様では、前記弾性部材は、略円柱形状を有し、前記第１底部における溝幅は、前記溝部において互いに対向する内面に、前記第１底部に配置された前記弾性部材が当接する寸法に設定されていることが好ましい。
ここで、弾性部材が第１底部に当接せずに突条部によって押圧される場合、当該弾性部材の弾性変形が十分に生じずに、上記隙間が部分的に形成されてしまう可能性がある。
これに対し、上記構成によれば、溝部における上記内面と第１底部とに接触し、かつ、突条部によって押圧される弾性部材を十分に変形させることができる。従って、上記隙間が形成されることを一層確実に抑制できる。
【００１１】
上記第１態様では、前記弾性部材は、中空状に形成されていることが好ましい。
このような構成によれば、突条部によって押圧された弾性部材を弾性変形しやすくすることができる。従って、上記隙間が生じることを確実に抑制できる。また、弾性部材が変形しやすくなることによって、溝部及び突条部の公差を、当該弾性部材が吸収することができる。
【００１２】
上記第１態様では、前記溝部の溝幅は、深さ方向に向かうに従って小さくなることが好ましい。
このような構成によれば、溝部に弾性部材及び突条部を挿入しやすくすることができる他、弾性部材が変形した場合に、当該溝部の内面との弾性部材の接触面積を大きくすることができる。従って、上記隙間が形成されることを確実に抑制できる。
【００１３】
本発明の第２態様に係るプロジェクターは、上記光学部品用筐体と、光源装置と、前記光源装置から出射された光を変調する光変調装置と、前記光変調装置により変調された光を投射する投射光学装置と、前記光源装置から前記光変調装置に入射される光の光路上に配置され、前記光学部品用筐体に収容される光学部品と、を備えることを特徴とする。
上記第２態様によれば、上記第１態様に係る光学部品用筐体と同様の効果を奏することができる。そして、これにより、投射画像の輝度の低下、及び、当該投射画像の劣化が生じることを抑制できる。
【００１４】
上記第２態様では、前記光学部品用筐体は、前記光源装置と接続される光源装置接続部を有し、前記光源装置接続部及び前記光源装置の間には、接続部−光源装置間封止部材が設けられていることが好ましい。
このような構成によれば、接続部−光源装置間封止部材によって、光源装置接続部と光源装置との間を介して、光学部品用筐体内への塵埃を含む気体の侵入を抑制できる。
【００１５】
上記第２態様では、前記投射光学装置を支持する支持部材を備え、前記光学部品用筐体は、前記支持部材と接続される支持部材接続部を有し、前記支持部材接続部と前記支持部材との間には、接続部−支持部材間封止部材が設けられていることが好ましい。
このような構成によれば、接続部−支持部材間封止部材によって、支持部材接続部と支持部材との間を介して、光学部品用筐体内への塵埃を含む気体の侵入を抑制できる。
【００１６】
上記第２態様では、前記光学部品用筐体を挟むように前記光学部品用筐体と接続され、冷却気体を流通させるダクト部を有する冷却装置を備え、前記光学部品用筐体と前記ダクト部との間には、筐体−ダクト部間封止部材が設けられていることが好ましい。
このような構成によれば、筐体−ダクト部間封止部材によって、光学部品用筐体とダクト部との間を介して、光学部品用筐体内への塵埃を含む気体の侵入を抑制できる。
【図面の簡単な説明】
【００１７】
【図１】本発明の一実施形態に係るプロジェクターの外観を示す斜視図。
【図２】上記実施形態における装置本体の構成を示す模式図。
【図３】上記実施形態における光学部品用筐体を示す斜視図。
【図４】上記実施形態における光学部品用筐体を示す斜視図。
【図５】上記実施形態における部品収納部材を示す図。
【図６】上記実施形態における部品収納部材を示す図。
【図７】上記実施形態における蓋状部材を示す図。
【図８】上記実施形態における光学部品用筐体を示す側面図。
【図９】上記実施形態における突条部がチューブを押圧した状態を示す図。
【図１０】上記実施形態における光学部品用筐体及び冷却装置を示す斜視図。
【図１１】上記実施形態における光学部品用筐体及び冷却装置を示す斜視図。
【図１２】上記実施形態における冷却装置の構成を示す模式図。
【図１３】上記実施形態における光源装置接続部及び光源装置を示す断面図。
【発明を実施するための形態】
【００１８】
以下、本発明の一実施形態について、図面に基づいて説明する。
［プロジェクターの外観構成］
図１は、本実施形態に係るプロジェクター１の外観を示す斜視図である。
本実施形態に係るプロジェクター１は、後述する光源装置４１から出射された光を変調して画像情報に応じた画像を形成し、形成された画像をスクリーン等の被投射面上に拡大投射する投射型画像表示装置である。このプロジェクター１は、後述する画像投射装置４が備える光学部品用筐体５が、光源装置４１と、それぞれ後述する支持部材４７及び冷却装置９と組み合わされることにより、内部への塵埃の侵入を抑制する密閉筐体として構成される点を、特徴の１つとしている。
このようなプロジェクター１は、図１に示すように、外観を構成し、後述する装置本体３（図２参照）を収容する外装筐体２を備える。この外装筐体２は、それぞれ合成樹脂により形成されたアッパーケース２Ａ、ロアーケース２Ｂ、フロントケース２Ｃ及びリアケース２Ｄが組み合わされて、略直方体形状に構成されている。このような外装筐体２は、天面部２１、底面部２２、正面部２３、背面部２４、左側面部２５及び右側面部２６を有する。
【００１９】
底面部２２には、プロジェクター１が載置面に載置される場合に当該載置面に接触する脚部２２１が、複数箇所に着脱可能に設けられている。
正面部２３の中央部分には、後述する投射光学装置４６の端部４６１を露出させ、当該投射光学装置４６により投射される画像が通過する開口部２３１が形成されている。
また、正面部２３において左側面部２５側の位置には、外装筐体２内の熱を帯びた冷却気体が排出される排気口２３２が形成され、当該排気口２３２には、複数のルーバー２３３が設けられている。
一方、正面部２３において右側面部２６側の位置には、プロジェクター１の動作状態を示す複数のインジケーター２３４が設けられている。
右側面部２６には、外部の空気を冷却気体として内部に導入する導入口２６１が形成され、当該導入口２６１には、フィルター（図示省略）が設けられたカバー部材２６２が取り付けられている。
【００２０】
なお、以下の説明では、背面部２４から正面部２３に向かい、かつ、天面部２１側から見て後述する投射光学装置４６による画像投射方向に沿う方向を＋Ｚ方向とする。また、＋Ｚ方向に直交し、かつ、互いに直交する方向を、＋Ｘ方向及び＋Ｙ方向とする。本実施形態では、左側面部２５から右側面部２６に向かう方向を＋Ｘ方向とし、底面部２２から天面部２１に向かう方向を＋Ｙ方向とする。そして、図示を省略するが、説明の便宜上、＋Ｚ方向とは反対方向を−Ｚ方向とする。−Ｘ方向及び−Ｙ方向も同様である。
【００２１】
［装置本体の構成］
図２は、装置本体３の構成を示す模式図である。
装置本体３は、図２に示すように、画像投射装置４を備える他、図２では図示を省略するが、冷却装置９を備える。更に、図示を省略するが、装置本体３は、プロジェクター１の動作を制御する制御装置、及び、プロジェクター１を構成する電子部品に電力を供給する電源装置を備える。これらのうち、制御装置は、例えば、外部から入力される画像情報に応じた画像信号を画像投射装置４に出力する他、上記複数のインジケーター２３４の点灯を制御する。
【００２２】
［画像投射装置の構成］
画像投射装置４は、上記制御装置から入力される画像信号に応じた画像を形成し、当該画像を上記被投射面上に投射する。この画像投射装置４は、光源装置４１、均一化装置４２、色分離装置４３、リレー装置４４、電気光学装置４５、投射光学装置４６、支持部材４７及び光学部品用筐体５を備える。
【００２３】
［光源装置の構成］
光源装置４１は、均一化装置４２に照明光を出射する。このような光源装置４１の構成としては、例えば、励起光である青色光を出射するＬＤ（Laser Diode）等の光源と、当該光源から出射された青色光のうち、一部の青色光を拡散させる拡散素子と、他の一部の青色光を蛍光に変換する波長変換素子と、これら一部の青色光及び蛍光を合成した白色光を均一化装置４２に向けて出射する光合成装置と、を有する構成を例示できる。なお、光源装置４１の他の構成としては、超高圧水銀ランプ等の光源ランプを光源として有する構成や、ＬＥＤ（Light Emitting Diode）等の他の固体光源を光源として有する構成を例示できる。
【００２４】
［均一化装置の構成］
均一化装置４２は、光源装置４１から入射される光束が＋Ｚ方向に沿って通過する過程にて、当該光束の中心軸に対する直交面内の照度を均一化する。この均一化装置４２は、第１レンズアレイ４２１、第２レンズアレイ４２２、偏光変換素子４２３及び重畳レンズ４２４を備える。なお、均一化装置４２は、透過光束の一部を遮蔽して透過光量を調整する調光装置を更に備えていてもよい。
第１レンズアレイ４２１は、詳しい図示を省略するが、入射される光束の中心軸に対する直交面内にマトリクス状に配列された複数の第１レンズを有し、当該複数の第１レンズにより、光源装置４１から入射される光束を複数の部分光束に分割する。
第２レンズアレイ４２２は、上記複数の第１レンズに対応する複数の第２レンズを有し、入射される複数の部分光束を、重畳レンズ４２４とともに、後述する光変調装置４５３の画像形成領域に重畳させる。
偏光変換素子４２３は、第２レンズアレイ４２２から入射される各部分光束を、１種類の直線偏光に変換する。この偏光変換素子４２３は、後述する冷却装置９による冷却対象の１つである。
【００２５】
［色分離装置及びリレー装置の構成］
色分離装置４３は、均一化装置４２から入射される光束から、赤色光ＬＲ、緑色光ＬＧ及び青色光ＬＢを分離する。この色分離装置４３は、赤色光ＬＲ及び緑色光ＬＧを反射させて、青色光ＬＢを透過させるダイクロイックミラー４３１と、赤色光ＬＲを透過させて、緑色光ＬＧを反射させるダイクロイックミラー４３２と、分離された青色光ＬＢを後述する青用のフィールドレンズ４５１に向けて反射させる反射ミラー４３３と、を有する。
リレー装置４４は、分離された赤色光ＬＲの光路上にそれぞれ設けられる入射側レンズ４４１、反射ミラー４４２、リレーレンズ４４３及び反射ミラー４４４を備える。なお、本実施形態では、リレー装置４４に赤色光ＬＲを通す構成としたが、これに限らず、例えば青色光ＬＢを通す構成としてもよい。
【００２６】
［電気光学装置の構成］
電気光学装置４５は、入射される各色光を変調及び合成して、上記画像信号に応じた画像を形成する。この電気光学装置４５は、上記３つの色光ＬＲ，ＬＧ，ＬＢごとに設けられる３つのフィールドレンズ４５１、３つの入射側偏光板４５２、３つの光変調装置４５３、及び、３つの出射側偏光板４５４と、変調された各色光ＬＲ，ＬＧ，ＬＢを合成する色合成装置４５５と、を備える。
これらのうち、光変調装置４５３は、本実施形態では、光入射面と光出射面とが異なる透過型の液晶パネルを備えて構成されている。しかしながら、これに限らず、光入射面と光出射面とが同一となる反射型の液晶パネルを備える構成としてもよい。
色合成装置４５５は、本実施形態では、クロスダイクロイックプリズムにより構成されているが、複数のダイクロイックミラーによって構成することも可能である。
そして、フィールドレンズ４５１を除いた各構成４５２〜４５５は、一体化されてプリズムユニットＰＲとして構成されており、当該プリズムユニットＰＲは、後述する冷却装置９による冷却対象の１つである。なお、フィールドレンズ４５１は、後述する光学部品用筐体５を構成する部品収納部材６の溝部６２に配置される。
【００２７】
［投射光学装置及び支持部材の構成］
投射光学装置４６は、色合成装置４５５により合成された光束（画像を形成する光束）を上記被投射面上に拡大投射する。この投射光学装置４６は、複数のレンズが鏡筒内に配置された組レンズとして構成されている。このような投射光学装置４６は、レンズ光軸が＋Ｚ方向に沿うように配置される。
支持部材４７は、外装筐体２内に固定されて、投射光学装置４６を支持する。この支持部材４７は、当該投射光学装置４６を囲んで保持する矩形状の保持部４７１を有し、当該保持部４７１には、上記プリズムユニットＰＲを支持するプリズムベースＰＢ（図１２参照）が固定される。これにより、投射光学装置４６のバックフォーカス位置に各光変調装置４５３が配置される。
【００２８】
［光学部品用筐体の構成］
光学部品用筐体５は、上記装置４２〜４４及びフィールドレンズ４５１を内部に収容する。この光学部品用筐体５の内部には、照明光軸Ａｘが設定されており、当該照明光軸Ａｘに対する所定位置に、光学部品４２１〜４２４、４３１〜４３３、４４１〜４４４、４５１が配置される。
この光学部品用筐体５における光源装置４１側の端部（−Ｚ方向側の端部）は、接続部−光源装置間封止部材としての封止部材ＥＭ１を介して上記光源装置４１が接続される光源装置接続部５１として構成されている。この光源装置接続部５１には、当該光源装置４１から光が入射される略矩形の開口部５１１が形成されている。この光源装置接続部５１に光源装置４１が接続された場合、上記照明光軸Ａｘと光源装置４１からの出射光束の中心軸とは一致する。
また、光学部品用筐体５において光出射側の端部（＋Ｚ方向側の端部）は、接続部−支持部材間封止部材としての封止部材ＥＭ２を介して上記支持部材４７が接続される支持部材接続部５２として構成されている。
なお、封止部材ＥＭ１，ＥＭ２は、弾性を有し、かつ、通気性を有さない材料により形成された部材であり、ウレタンフォーム等を例示できる。後述する封止部材ＥＭ３〜ＥＭ６も同様である。
【００２９】
更に、光学部品用筐体５は、支持部材接続部５２における支持部材４７との接続部位から凹状に形成されたユニット配置部５３を有する。このユニット配置部５３内において、上記照明光軸Ａｘの延長線上の位置に上記プリズムユニットＰＲが配置される。
なお、ユニット配置部５３は、支持部材接続部５２に支持部材４７が接続された際に、当該支持部材４７によって光出射側から閉塞される。これにより、後述する冷却装置９によって流通する冷却気体の流路の一部が形成される。換言すると、支持部材４７は、当該冷却気体の流路を形成するダクトの一部を構成する。
【００３０】
図３及び図４は、光学部品用筐体５を示す斜視図である。詳述すると、図３は、−Ｚ方向側から見た光学部品用筐体５を示す斜視図であり、図４は、＋Ｚ方向側から見た光学部品用筐体５を示す斜視図である。なお、図３及び図４では、蓋状部材７に取り付けられる基板ＣＲの図示を省略している。
このような光学部品用筐体５は、図３及び図４に示すように、−Ｙ方向側に位置する部品収納部材６（第１筐体）と、＋Ｙ方向側に位置する蓋状部材７（第２筐体）と、を有し、これらが組み合わされて構成される。これら部品収納部材６及び蓋状部材７は、本実施形態では合成樹脂により形成されているが、他の材料（例えばマグネシウム等の金属）により構成されていてもよい。
【００３１】
［部品収納部材の構成］
図５は、部品収納部材６を示す平面図である。具体的に、図５は、部品収納部材６を＋Ｙ方向側から見た平面図である。
部品収納部材６は、後述する冷却装置９の第１ダクト部９１上に載置されて固定される断面略Ｕ字状の箱状筐体である。この部品収納部材６は、図５に示すように、上記光学部品４２１〜４２４、４３１〜４３３、４４１〜４４４、４５１を内部に配置するための開口部６１を有し、当該開口部６１は、蓋状部材７によって閉塞される。
また、部品収納部材６は、当該光学部品４２１〜４２４、４３１〜４３３、４４１〜４４４、４５１のうち、一部の光学部品が挿入されて配置される複数の溝部６２と、他の光学部品を係止する複数の係止部６３と、を内部に有する。これら複数の溝部６２及び複数の係止部６３は、光学部品が収容される光学部品収容部を構成する。
更に、部品収納部材６は、光出射側の部位に、蓋状部材７とともに上記ユニット配置部５３を形成する凹部６４を有する。この凹部６４において、上記フィールドレンズ４５１の配置位置には、当該フィールドレンズ４５１を透過した各色光ＬＢ，ＬＧ，ＬＲが通過する開口部６４１が、それぞれ形成されている。
【００３２】
上記開口部６１の周縁である部品収納部材６の外縁部分において、光源装置４１側の端部においてＸ方向に沿う端縁と凹部６４の端縁とを除く部位には、蓋状部材７側（＋Ｙ方向側）に開口する溝部６５，６６が形成されている。
溝部６５は、光源装置４１側の端部から支持部材４７側の端部にかけて、青色光ＬＢの光路に沿うように形成されている。
溝部６６は、光源装置４１側の端部から支持部材４７側の端部にかけて、赤色光ＬＲの光路に沿うように形成されている。
これら溝部６５，６６の内側には、中空円柱状（筒状）のチューブＴＢがそれぞれ配置されている。そして、詳しくは後述するが、各チューブＴＢは、蓋状部材７の後述する突条部７６，７７によって押圧されて変形する。
【００３３】
図６は、−Ｙ方向側から見た部品収納部材６を示す図である。
部品収納部材６は、−Ｙ方向側の面６Ａにおいて＋Ｘ方向側、−Ｚ方向側及び−Ｘ方向側から上記凹部６４を囲む位置に、当該面６Ａから起立する略Ｕ字状の起立部６７を有する。この起立部６７の先端面には、後述する冷却装置９を構成する第１ダクト部９１（図１０〜図１２参照）が、封止部材ＥＭ３を介して接続される。
また、部品収納部材６は、上記偏光変換素子４２３に応じた位置に、開口部６８と、当該開口部６８の周縁において面６Ａから起立する起立部６９と、を有する。この起立部６９の先端面には、同じく第１ダクト部９１が、封止部材ＥＭ４を介して接続される。
そして、詳しくは後述するが、第１ダクト部９１を流通する冷却気体は、ユニット配置部５３内に導入されて、上記プリズムユニットＰＲを冷却する他、開口部６８を介して光学部品用筐体５内に導入され、偏光変換素子４２３を冷却する。
なお、封止部材ＥＭ３，ＥＭ４は、筐体−ダクト部間封止部材を構成するものである。
【００３４】
［蓋状部材の構成］
図７は、＋Ｙ方向側から見た蓋状部材７を示す図である。
蓋状部材７は、図７に示すように、＋Ｙ方向側から見て、部品収納部材６の外形形状に応じた形状に形成され、上記開口部６１を閉塞する。この蓋状部材７は、図３、図４及び図７に示すように、開口部７１、起立部７２及び開口部７３，７４を有する。
【００３５】
開口部７１は、上記偏光変換素子４２３に応じた位置に形成されている。この開口部７１は、上記部品収納部材６の開口部６８を介して導入され、偏光変換素子４２３を冷却した冷却気体を光学部品用筐体５の外部（後述する第２ダクト部９２内）に排出する。
起立部７２は、開口部７１を囲むように、蓋状部材７において＋Ｙ方向側の面７Ａから起立している。この起立部７２の先端面は、冷却装置９を構成する第２ダクト部９２と封止部材ＥＭ６を介して接続される。
開口部７３は、上記ダイクロイックミラー４３１に応じた位置に略Ｌ字状に形成され、開口部７４は、リレーレンズ４４３に応じた位置に形成されている。これら開口部７３，７４には、上記光学部品（例えばダイクロイックミラー４３１及びリレーレンズ４４３）の位置を調整する治具が挿入される。そして、これら開口部７３，７４は、光学部品の位置調整の後、図示しない閉塞部材によって閉塞される。
【００３６】
面７Ａにおいて上記ユニット配置部５３を構成する凹部７５の端縁近傍の位置には、図７に示すように、３つの基板ＣＲ（ＣＲＢ，ＣＲＧ，ＣＲＲ）が配設される。
これら基板ＣＲは、ユニット配置部５３に配置されるプリズムユニットＰＲ（図２参照）において対応する光変調装置４５３から延出するフレキシブルプリント基板（図示省略）と接続される。
【００３７】
具体的に、基板ＣＲＢは、青色光ＬＢ用のフィールドレンズ４５１及び反射ミラー４３３に応じた位置に配設され、光変調装置４５３Ｇと接続される。基板ＣＲＧは、緑色光ＬＧ用のフィールドレンズ４５１及びダイクロイックミラー４３２に応じた位置に配設され、光変調装置４５３Ｇと接続される。基板ＣＲＲは、赤色光ＬＲ用のフィールドレンズ４５１及び反射ミラー４４４に応じた位置に配設され、光変調装置４５３Ｒと接続される。
更に、上記凹部７５の端縁部分には、当該端縁形状に応じた略Ｕ字状の封止部材ＥＭ５が、当該基板ＣＲの一部を＋Ｙ方向側から覆うようにして配置される。この封止部材ＥＭ５を介して、当該凹部７５の端縁部分は、冷却装置９を構成する第２ダクト部９２と接続される。
なお、面７Ａにおいて、各基板ＣＲの配設位置は平坦に形成され、また、各基板ＣＲにおいて蓋状部材７と対向する面は平坦に形成されている。このため、各基板ＣＲは、隙間が略無い状態で面７Ａに取り付けられる。
【００３８】
［溝部に挿入される突条部の構成］
図８は、部品収納部材６と蓋状部材７とが組み合わされた光学部品用筐体５を示す側面図であり、詳述すると、当該光学部品用筐体５における光源装置接続部５１を−Ｚ方向側から見た側面図である。また、図９は、溝部６６に挿入された突条部７７が、上記チューブＴＢを押圧した状態を示す図である。
蓋状部材７は、図８に示すように、−Ｙ方向側の面７Ｂから突出して、上記溝部６５，６６の幅方向における略全域に挿入される突条部７６，７７を有する。
これらのうち、突条部７７は、図９に示すように、溝部６６内に配置された上記チューブＴＢを押圧して変形させ、これにより、溝部６６の内面と突条部７７との間に塵埃が侵入する隙間が形成されることを抑制している。このチューブＴＢは、上記のように中空のチューブであることから、突条部７７による押圧によって変形しやすくなっている。更に、本実施形態では、当該チューブＴＢは、熱の影響を考慮して耐熱性が比較的高いシリコンチューブにより構成されている。
【００３９】
なお、溝部６６は、深さ方向に向かうに従って溝幅が小さくなるテーパー形状に形成されており、本実施形態では、＋Ｙ方向に対して略３度の傾斜角にて傾斜している。また、溝部６６においてチューブＴＢが配置される第１底部６６１の溝幅は、当該第１底部６６１にチューブＴＢが配置された場合に、溝部６６の両内面（互いに対向し、かつ、第１底部６６１によって接続される内面）にチューブＴＢの外面が接触するように設定されている。また、溝部６６の深さは、チューブＴＢの直径の１．５〜２倍に設定されている。
【００４０】
ここで、チューブＴＢの軸方向の寸法は、溝部６６における溝方向の寸法より長く設定されている。このため、溝部６６における溝方向の端部においてチューブＴＢの端部が余ることとなる。
これに対し、溝部６６における溝方向の一端は、当該溝方向に直交する光源装置接続部５３の面にて露出し、他端は、上記凹部７５の端縁のうち、当該溝方向に直交する部位にて露出する。これら端部には、上記第１底部６５１より深い第２底部６６２が形成されている。このため、蓋状部材７が部品収納部材６と組み合わされた際に、面７Ｂと第２底部６６２との間に、比較的大きな隙間を形成できる。この隙間にチューブＴＢの端部が収納されることにより、当該チューブＴＢの端部が溝部６５外に突出することを抑制できる。
なお、溝部６５及び突条部７６の構成及び形状も、溝部６６及び突条部７７と同様であり、図８に示すように、当該溝部６５の溝方向の両端には、チューブＴＢが配置される第１底部６５１より深い第２底部６５２が形成されている。
【００４１】
［冷却装置の構成］
図１０及び図１１は、光学部品用筐体５と組み合わされた冷却装置９を示す斜視図である。詳述すると、図１０は、−Ｚ方向側から見た冷却装置９を示す斜視図であり、図１１は、＋Ｚ方向側から見た冷却装置９を示す斜視図である。また、図１２は、冷却装置９の構成を示す模式図である。
冷却装置９は、光学部品用筐体５及び支持部材４７と組み合わされ、画像投射装置４を構成する光学部品に冷却気体を送風して、当該光学部品を冷却するものである。具体的に、冷却装置９は、それぞれ光学部品としての偏光変換素子４２３及びプリズムユニットＰＲを冷却する冷却気体の密閉循環流路を構成する。
このような冷却装置９は、図１０及び図１１に示すように、光学部品用筐体５及び支持部材４７と組み合わされて内部に密閉空間を形成する第１ダクト部９１、第２ダクト部９２及び接続ダクト部９３を備える他、図１２に示すように、当該密閉空間Ｓ内にそれぞれ配置される循環装置９４、受熱装置９５、送出装置９６、熱伝導部材９７及び放熱装置９８を備える。
【００４２】
［第１ダクト部の構成］
第１ダクト部９１及び第２ダクト部９２は、図１０〜図１２に示すように、光学部品用筐体５を−Ｙ方向側及び＋Ｙ方向側から挟むように配置される。
これらのうち、第１ダクト部９１は、光学部品用筐体５（部品収納部材６）に対して−Ｙ方向側に配置される。この第１ダクト部９１は、図１２に示すように、３つの開口部９１１〜９１３と、各開口部９１１〜９１３の端縁を形成する縁部９１４〜９１６と、を有し、内部を冷却気体が流通可能に構成されている。
開口部９１１の端縁を形成する縁部９１４は、接続ダクト部９３と接続される。
開口部９１２の端縁を形成する縁部９１５は、上記封止部材ＥＭ３を介して、部品収納部材６の起立部６７と接続される。
開口部９１３の端縁を形成する縁部９１６は、上記封止部材ＥＭ４を介して、起立部６９と接続される。
このようにして、第１ダクト部９１と部品収納部材６とは、封止部材ＥＭ３，ＥＭ４を介して密着され、これら第１ダクト部９１と部品収納部材６との接合部位を介して、光学部品用筐体５及び冷却装置９の外部から内部に塵埃等が侵入することが抑制されている。
【００４３】
［第２ダクト部の構成］
第２ダクト部９２は、図１０〜図１２に示すように、光学部品用筐体５（蓋状部材７）に対して＋Ｙ方向側に配置される。この第２ダクト部９２は、図１２に示すように、３つの開口部９２１〜９２３と、各開口部９２１〜９２３の端縁を形成する縁部９２４〜９２６と、を有し、内部を冷却気体が流通可能に構成されている。
開口部９２１の端縁を形成する縁部９２４は、接続ダクト部９３と接続される。
開口部９２２の端縁を形成する縁部９２５は、蓋状部材７側に突出しており、上記封止部材ＥＭ５を介して、凹部７５の端縁と接続される。
開口部９２３の端縁を形成する縁部９２６は、上記封止部材ＥＭ６を介して、蓋状部材７の起立部７２と接続される。
このようにして、第２ダクト部９２と蓋状部材７とは、封止部材ＥＭ５，ＥＭ６を介して密着され、これら第２ダクト部９２と蓋状部材７との接合部位を介して、光学部品用筐体５及び冷却装置９の外部から内部に塵埃等が侵入することが抑制されている。
なお、封止部材ＥＭ５，ＥＭ６は、筐体−ダクト部間封止部材を構成するものである。
【００４４】
［接続ダクト部の構成］
接続ダクト部９３は、光学部品用筐体５に対して＋Ｘ方向側に位置し、第１ダクト部９１及び第２ダクト部９２と接続されて、略密閉された密閉空間Ｓを構成する。このような接続ダクト部９３は、＋Ｙ方向に沿って延出する筒状に形成され、一端に上記縁部９１４が接続され、他端に上記縁部９２４が接続される。
【００４５】
［循環装置及び受熱装置の構成］
循環装置９４は、上記密閉空間Ｓ内の冷却気体を循環させる循環ファンである。本実施形態では、循環装置９４は、第１ダクト部９１内に配置され、吸気面９４１を接続ダクト部９３に向け、吐出面９４２を第１ダクト部９１の中央に向けて配置されたシロッコファンにより構成されている。なお、これに限らず、循環装置９４は、例えば第２ダクト部９２又は接続ダクト部９３内に配置されてもよく、軸流ファンによって構成されてもよい。
受熱装置９５は、熱伝導性を有する金属製の複数のフィンが一体化された構成を有し、当該フィン間を冷却気体が流通可能に接続ダクト部９３内に配置されている。この受熱装置９５は、循環装置９４の駆動によって接続ダクト部９３内を流通する冷却気体から受熱し、当該循環装置９４によって吸引される冷却気体を冷却する。なお、受熱装置９５は、第１ダクト部９１又は第２ダクト部９２内に配置されてもよく、他の構成を有していてもよい。
【００４６】
［送出装置の構成］
送出装置９６は、上記縁部９１５の内側に配置される３つのファン９６Ｂ，９６Ｇ，９６Ｒと、上記縁部９１６の内側に配置される１つのファン９６Ｐと、を備える。
これらのうち、ファン９６Ｂ，９６Ｇ，９６Ｒは、それぞれ、上記循環装置９４によって流通される冷却気体を吸引して、光変調装置４５３Ｂ，４５３Ｇ，４５３Ｒ近傍に送出する。このように流通する冷却気体は、第１ダクト部９１側から第２ダクト部９２側に向かってユニット配置部５３内を流通し、対応する光変調装置４５３と、入射側偏光板４５２及び出射側偏光板４５４と、を冷却する。そして、これら光変調装置４５３等を冷却した冷却気体は、第２ダクト部９２の縁部９２５内に流入される。
ファン９６Ｐは、上記循環装置９４によって流通される冷却気体を吸引して、偏光変換素子４２３近傍に送出する。この冷却気体は、第１ダクト部９１側から第２ダクト部９２側に向かって、冷却気体が偏光変換素子４２３における光入射側の面及び光出射側の面に沿って流通し、当該偏光変換素子４２３を冷却する。そして、当該偏光変換素子４２３を冷却した冷却気体は、第２ダクト部９２の縁部９２６内に流入される。
【００４７】
［熱伝導部材及び放熱装置の構成］
熱伝導部材９７は、冷却気体から上記受熱装置９５に伝導された熱を、放熱装置９８を構成するヒートシンク９８１に伝導する。本実施形態では、熱伝導部材９７は、ヒートパイプにより構成されているが、ペルチェ素子により構成されていてもよい。
放熱装置９８は、第１ダクト部９１、第２ダクト部９２及び接続ダクト部９３の外側に位置する。この放熱装置９８は、上記ヒートシンク９８１と、外装筐体２内に導入された冷却気体を流通させて当該ヒートシンク９８１を冷却するファン９８２と、を備えて構成されている。
【００４８】
［冷却気体の流路］
冷却装置９を構成する第１ダクト部９１、第２ダクト部９２及び接続ダクト部９３は、上記のように、光学部品用筐体５及び支持部材４７と組み合わされることによって、内部に密閉空間Ｓを形成する。
この密閉空間Ｓ内の冷却気体は、上記受熱装置９５によって受熱されて冷却された後、循環装置９４によって送出装置９６側に送出される。この冷却気体のうち、一部の冷却気体は、上記ファン９６Ｂ，９６Ｇ，９６Ｒによって対応する光変調装置４５３（４５３Ｂ，４５３Ｇ，４５３Ｒ）近傍に送出されて、当該光変調装置４５３等を冷却し、縁部９２５を介して第２ダクト部９２に流入する。一方、他の一部の冷却気体は、上記ファン９６Ｐによって偏光変換素子４２３に送出されて、当該偏光変換素子４２３を冷却し、縁部９２６を介して第２ダクト部９２に流入する。
第２ダクト部９２内に流入された冷却気体は、循環装置９４によって吸引される。この冷却気体は、接続ダクト部９３内を流通する過程にて上記受熱装置９５によって冷却され、当該循環装置９４によって再度、送出装置９６側に送出される。
このようにして、密閉空間Ｓ内の冷却気体は、当該密閉空間Ｓ内を循環して、光変調装置４５３及び偏光変換素子４２３を冷却する。
【００４９】
［光学部品用筐体と光源装置との接続］
光源装置４１における光出射側の端部には、図２に示したように、当該光源装置４１の光出射面４１Ａから光源装置接続部５１を挟むように突出する一対の突出部４１１，４１２が設けられ、これにより、当該端部は略Ｕ字状に形成されている。
そして、光学部品用筐体５の上記光源装置接続部５１における−Ｚ方向側の面５１Ａには、上記光出射面４１Ａが接続される。
【００５０】
図１３は、光源装置接続部５１と光源装置４１との接続状態を拡大して示す断面図である。すなわち、図１３は、封止部材ＥＭ１を介して接続された光源装置接続部５１と光源装置４１とのＸＹ平面に沿う断面図である。
上記突出部４１１，４１２と、光源装置接続部５１において当該突出部４１１，４１２と対向する面５１Ｂ，５１Ｃとは、図１３に示すように、−Ｘ方向側及び＋Ｘ方向側から光源装置接続部５１を挟む上記封止部材ＥＭ１を介して接続される。
また、封止部材ＥＭ１は、光源装置接続部５１を−Ｙ方向側及び＋Ｙ方向側からも挟んでおり、光源装置接続部５１における−Ｙ方向側の面５１Ｄは、当該封止部材ＥＭ１を介して上記第１ダクト部９１と接続される。また、＋Ｙ方向側の面５１Ｅは、封止部材ＥＭ１を介して、上記第２ダクト部９２とは異なるカバー部材ＣＭと接続される。すなわち、封止部材ＥＭ１は、光源装置接続部５１を、−Ｘ方向側、＋Ｘ方向側、−Ｙ方向側及び＋Ｙ方向側にて囲んでいる。なお、当該面５１Ｅは、封止部材ＥＭ１を介して、第２ダクト部９２と接続されてもよい。
このような封止部材ＥＭ１を介して、光源装置接続部５１における四方の面５１Ｂ〜５１Ｅが他の部材（すなわち、光源装置４１の突出部４１１，４１２、第１ダクト部９１及びカバー部材ＣＭ）と接続されることによって光源装置接続部５１が密封される。これにより、光源装置接続部５１と当該他の部材との間を介して、塵埃等を含む気体が光学部品用筐体５内に侵入することが抑制される。
【００５１】
［光学部品用筐体と支持部材との接続］
上記したように、光学部品用筐体５と支持部材４７とは、支持部材接続部５２にて、封止部材ＥＭ２を介して接続される。
この封止部材ＥＭ２は、図１１に示すように、ユニット配置部５３を囲む矩形状に形成されており、当該封止部材ＥＭ２の一部は、それぞれ上記した第１ダクト部９１及び第２ダクト部９２と接続されている。すなわち、封止部材ＥＭ２は、それぞれ組み合わされた光学部品用筐体５及び冷却装置９において、ユニット配置部５３を含む空間を閉塞する支持部材４７との接触部位に応じて矩形枠状に形成及び配置されている。
このような封止部材ＥＭ２を介して、図１に示したように、当該接続部位と支持部材４７とが接続されることにより、光学部品用筐体５及び冷却装置９と支持部材４７とが密封され、これらの間を介して塵埃等を含む気体が、光学部品用筐体５及び冷却装置９内に侵入することが抑制される。
【００５２】
以上説明した本実施形態に係るプロジェクター１によれば、以下の効果がある。
光学部品用筐体５では、第１筐体としての部品収納部材６において開口部６１の周縁（開口部６１の少なくとも一部を囲む位置）に位置する溝部６５，６６に、弾性変形可能な弾性部材であるチューブＴＢがそれぞれが配置され、当該チューブＴＢは、第２筐体としての蓋状部材７において開口部６１を閉塞する面７Ｂに位置する突条部７６，７７により押圧される。これによれば、部品収納部材６と蓋状部材７とが組み合わされる際に、突条部７６，７７がチューブＴＢを押圧して変形させることにより、溝部６５，６６と突条部７６，７７との間に、塵埃等を含む気体が流通する隙間が生じることを抑制できる。従って、当該隙間を介して光学部品用筐体５内に塵埃が侵入することを抑制できる。
そして、このような光学部品用筐体５が、画像形成に利用される光束の光路上に配置される上記光学部品４２１〜４２４、４３１〜４３３、４４１〜４４４、４５１を収容する筐体としてプロジェクター１に用いられることにより、投射画像の輝度の低下、及び、当該投射画像の劣化が生じることを抑制できる。
また、溝部６５，６６に配置されたチューブＴＢを突条部７６，７７によって押圧して、当該溝部６５，６６と突条部７６，７７との間を介する気体の流通を抑制する構成であるので、これら溝部６５，６６及び突条部７６，７７の間に接着剤を充填する場合に比べて、部品収納部材６からの蓋状部材７の取外しを容易に実施できる。従って、光学部品用筐体５のリワーク性を向上させることができる。
【００５３】
溝部６５，６６は、青色光ＬＢ及び赤色光ＬＲの光路に沿って部品収納部材６の外縁に形成され、当該溝部６５，６６には、溝方向の全域に、チューブＴＢが配置される第１底部６５１が形成されている。一方、これら溝部６５，６６に挿入される突条部７６，７７は、対応する溝部６５，６６の溝方向の略全域に挿入される。そして、溝部６５，６６における溝方向の両端は、溝部６５、６６の溝方向に直交する面である光源装置接続部５１の面５１Ａ、及び、ユニット配置部５３の端面にて露出される。これら溝部６５，６６における溝方向の両端は、第１底部６５１，６６１より深く形成された第２底部６５２，６６２を有する。
これによれば、部品収納部材６と蓋状部材７とを組み合わせた場合に、第２底部６５２，６６２と蓋状部材７の面７Ｂとの間に、余ったチューブＴＢの端部を収納できる。従って、溝部６５，６６からチューブＴＢの端部が突出することを抑制できる。
【００５４】
チューブＴＢは、略円柱形状に形成されている。また、チューブＴＢが配置される第１底部６５１，６６１における溝幅は、溝部６５，６６において互いに対向する内面に第１底部６５１，６６１に配置されたチューブＴＢが当接する寸法に設定されている。
これによれば、チューブＴＢが溝部６５，６６の内面及び第１底部６５１，６６１と、突条部７６，７７によって囲まれるため、当該突条部７６，７７による押圧によって、チューブＴＢを十分に変形させることができ、突条部７６，７７と溝部６５，６６の内面との間の隙間を埋めることができる。従って、塵埃等を含む気体の流通を一層確実に抑制できる。
【００５５】
チューブＴＢが、中空状に形成されていることにより、突条部７６，７７によって押圧された際に、当該チューブＴＢを弾性変形させやすくすることができる。従って、チューブＴＢを突条部７６，７７及び溝部６５，６６の内面に当接させやすくすることができ、これら突条部７６，７７と溝部６５，６６の内面との間に、塵埃等を含む気体が流通する隙間が生じることを確実に抑制できる。また、チューブＴＢが変形しやすいことにより、溝部６５，６６及び突条部７６，７７の公差を、当該チューブＴＢが吸収できる。
【００５６】
溝部６５，６６の溝幅は、当該溝部６５，６６の深さ方向に向かうに従って小さくなる。これによれば、溝部６５，６６にチューブＴＢ及び突条部７６，７７を挿入しやすくすることができる他、チューブＴＢが変形した場合に、当該溝部６５，６６の内面とチューブＴＢとの接触面積を大きくすることができる。従って、塵埃等を含む気体が流通する隙間が生じることを確実に抑制できる。
【００５７】
光源装置接続部５１と光源装置４１（詳しくは突出部４１１，４１２）との間には、封止部材ＥＭ１が設けられている。これによれば、光源装置接続部５１と光源装置４１との間を介して、塵埃等を含む気体が光学部品用筐体５内に流入することを抑制できる。
【００５８】
プロジェクター１は、外装筐体２内に配置されて投射光学装置４６を支持する支持部材４７を備える。そして、支持部材接続部５２と支持部材４７との間には、封止部材ＥＭ２が設けられている。これによれば、支持部材接続部５２と支持部材４７との間を介して、塵埃等を含む気体が光学部品用筐体５内に侵入することを抑制できる。
【００５９】
プロジェクター１は、光学部品用筐体５を−Ｙ方向側及び＋Ｙ方向側から挟む第１ダクト部９１及び第２ダクト部９２を有する冷却装置９を備える。そして、光学部品用筐体５を構成する部品収納部材６と第１ダクト部９１との間には、封止部材ＥＭ３，ＥＭ４が設けられ、蓋状部材７と第２ダクト部９２との間には、封止部材ＥＭ５，ＥＭ６が設けられている。これによれば、光学部品用筐体５と第１ダクト部９１及び第２ダクト部９２との間を介して、塵埃等を含む気体が光学部品用筐体５内に侵入することを抑制できる。
また、このように封止部材ＥＭ３〜ＥＭ６を介して光学部品用筐体５と第１ダクト部９１及び第２ダクト部９２とを接続することにより、ユニット配置部５３に露出されるフィールドレンズ４５１の周囲を接着剤等により封止する必要がない。これにより、光学部品用筐体５への光学部品の固定、及び、画像投射装置４の組立を容易に実施できる。
【００６０】
［実施形態の変形］
本発明は、上記実施形態に限定されるものではなく、本発明の目的を達成できる範囲での変形、改良等は本発明に含まれるものである。
光学部品用筐体５を構成する第１筐体としての部品収納部材６は、当該部品収納部材６内に光学部品を挿入するための開口部６１の周縁に位置する２つの溝部６５，６６を有するとした。また、同じく光学部品用筐体５を構成する第２筐体としての蓋状部材７は、当該溝部６５，６６に挿入されて弾性部材としてのチューブＴＢを押圧して変形させる２つの突条部７６，７７を有するとした。しかしながら、本発明はこれに限らない。例えば、部品収納部材６が、開口部６１を囲む１つの溝部を有し、蓋状部材７が、当該溝部に挿入されてチューブＴＢを押圧する１つの突条部を有する構成としてもよい。また、溝部の数は、開口部６１を囲む位置にあれば３以上でもよく、突条部の数は、溝部の数に対応していればよい。
【００６１】
上記溝部６５，６６には、突条部７６，７７によって押圧されるチューブＴＢが弾性部材として配置されるとした。しかしながら、本発明はこれに限らない。例えば、チューブＴＢに代えて、封止部材ＥＭ１〜ＥＭ６と同様に、弾性を有するが通気性を有さないクッションを採用してもよい。すなわち、溝部６５，６６と突条部７６，７７との隙間を封止し、塵埃等を含む気体の流通を抑制できれば、弾性部材の材料及び構成は問わない。
また、チューブＴＢは、中空状に形成されているとしたが、中実のチューブを採用してもよい。更に、チューブＴＢは、円柱形状に形成されていなくてもよく、溝部と突条部との間を封止できれば、他の形状でもよい。
更に、開口部６１を囲む端縁において、蓋状部材７との間にクッション等の弾性部材を配置し、部品収納部材６の面と蓋状部材７の面とによって、当該弾性部材を挟む構成としてもよい。
【００６２】
溝部６５，６６の端部には、チューブＴＢが配置される第１底部６５１，６６１より深く形成され、かつ、蓋状部材７の面７Ｂとの間にチューブＴＢの端部を収容する第２底部６５２，６６２が形成されているとした。しかしながら、本発明はこれに限らない。すなわち、このような第２底部は無くてもよい。また、当該第２底部は、溝部の両端に形成されていなくてもよく、一端側にのみ形成されていてもよい。
【００６３】
弾性部材としてのチューブＴＢが配置される溝部６５，６６の溝幅は、上記実施形態にて例示したが、本発明はこれに限らない。すなわち、突条部７６，７７によって押圧された弾性部材が変形可能で、かつ、当該弾性部材によって突条部７６，７７と溝部６５，６６との間を介して気体の流通が抑制されれば、溝部６５，６６の寸法（溝幅及び深さ）は、適宜変更可能である。更に、溝部６５，６６は、必ずしもテーパー状に形成されていなくてもよく、テーパー状に形成されている場合でも、傾斜角は適宜変更可能である。
【００６４】
光学部品用筐体５において、光源装置接続部５１と光源装置４１との間には、接続部−光源装置間封止部材としての封止部材ＥＭ１が設けられるとした。また、支持部材接続部５２と支持部材４７との間には、接続部−支持部材間封止部材としての封止部材ＥＭ２が設けられるとした。更に、冷却装置９の第１ダクト部９１と光学部品用筐体５（部品収納部材６）との間には、筐体−ダクト部間封止部材としての封止部材ＥＭ３，ＥＭ４が設けられ、第２ダクト部９２と光学部品用筐体５（蓋状部材７）との間には、筐体−ダクト部間封止部材としての封止部材ＥＭ５，ＥＭ６が設けられるとした。しかしながら、本発明はこれに限らない。例えば、光学部品用筐体５への塵埃の侵入が抑制されていれば、これら封止部材ＥＭ１〜ＥＭ６の少なくともいずれかはなくてもよい。また、これら封止部材ＥＭ１〜ＥＭ６の構成、形状及び材料は、適宜変更可能である。
【００６５】
光学部品用筐体５は、主に図２〜図７に示した形状を有するとした。しかしながら、本発明はこれに限らず、光学部品用筐体５は、他の形状、例えば＋Ｙ方向側から見て略Ｌ字状や略Ｕ字状に形成されていてもよい。また、光学部品の配置も、上記した例に限らず、適宜変更可能であり、光学部品の構成も適宜変更可能である。
【００６６】
プロジェクター１は、それぞれ液晶パネルを備えて構成される３つの光変調装置４５３（４５３Ｒ，４５３Ｇ，４５３Ｂ）を備えるとした。しかしながら、本発明はこれに限らない。すなわち、２つ以下、あるいは、４つ以上の光変調装置を用いたプロジェクターにも、本発明を適用可能である。
また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００６７】
上記実施形態では、光学部品用筐体をプロジェクター１に適用した例を挙げた。しかしながら、本発明はこれに限らない。すなわち、プロジェクターを構成する光学部品に限らず、他の光学部品を収容する筐体として、本発明の光学部品用筐体を適用可能である。
【符号の説明】
【００６８】
１…プロジェクター、４１…光源装置、４２１…第１レンズアレイ（光学部品）、４２２…第２レンズアレイ（光学部品）、４２３…偏光変換素子（光学部品）、４２４…重畳レンズ（光学部品）、４３１，４３２…ダイクロイックミラー（光学部品）、４３３…反射ミラー（光学部品）、４４１…入射側レンズ（光学部品）、４４２，４４４…反射ミラー（光学部品）、４４３…リレーレンズ（光学部品）、４５１…フィールドレンズ（光学部品）、４５３（４５３Ｂ，４５３Ｇ，４５３Ｒ）…光変調装置、４６…投射光学装置、４７…支持部材、５…光学部品用筐体、５１…光源装置接続部、５１１…開口部、５１Ａ…面、５２…支持部材接続部、６…部品収納部材（第１筐体）、６１…開口部、６５，６６…溝部、６５１，６６１…第１底部、６５２，６６２…第２底部、７…蓋状部材（第２筐体）、７Ａ…面、７Ｂ…面、７６，７７…突条部、９…冷却装置、９１…第１ダクト部（ダクト部）、９２…第２ダクト部（ダクト部）、ＥＭ１…封止部材（接続部−光源装置間封止部材）、ＥＭ２…封止部材（接続部−支持部材間封止部材）、ＥＭ３〜ＥＭ６…封止部材（筐体−ダクト部間封止部材）、ＴＢ…チューブ（弾性部材）。
【図１】
2017130537.tif 000003
【図２】
2017130537.tif 000004
【図３】
2017130537.tif 000005
【図４】
2017130537.tif 000006
【図５】
2017130537.tif 000007
【図６】
2017130537.tif 000008
【図７】
2017130537.tif 000009
【図８】
2017130537.tif 000010
【図９】
2017130537.tif 000011
【図１０】
2017130537.tif 000012
【図１１】
2017130537.tif 000013
【図１２】
2017130537.tif 000014
【図１３】
2017130537.tif 000015